(57)【要約】【課題】プロジェクション装置を用いてスクリーン上に映像を投影したとき、プロジェクション装置が直接視認されるのを防ぎ、観察者が高い没入感を得られるようにしたプロジェクションシステム及びシアタを提供すること。【解決手段】スクリーン１と、映像をスクリーン１に投影するプロジェクション装置２とを有したプロジェクションシステムにおいて、プロジェクション装置２の前方にフロントライト導光板６と光源５からなる面発光手段３を設けた構成とする。面発光手段３は、プロジェクション装置２の光放射部２-1からの投影用映像光１６を透過させてスクリーン１に照射する一方、光源５からの光（例えば緑色光）に基づいた拡散光９を放射することが可能である。【選択図】図５
2005195672.tif 000002
【特許請求の範囲】
【請求項１】
スクリーンと、
映像を前記スクリーンに投影するプロジェクション装置と、
前記プロジェクション装置の前方に配置され、前記プロジェクション装置の光放射部からの投影光を透過し、かつ拡散光を放射する面発光手段と
を備えたことを特徴とするプロジェクションシステム。
【請求項２】
スクリーンと、
映像を前記スクリーンに投影するプロジェクション装置と、
前記プロジェクション装置の前方で、前記プロジェクション装置の少なくとも光放射部を観察者の視界から遮る位置に配置され、前記プロジェクション装置の前記光放射部からの投影光を透過し、かつ拡散光を放射する面発光手段と
を備えたことを特徴とするプロジェクションシステム。
【請求項３】
前記面発光手段は、フロントライト導光板とその側面に配置された光源から構成されていることを特徴とする請求項１又は２に記載のプロジェクションシステム。
【請求項４】
前記スクリーンは略球面状のスクリーンであることを特徴とする請求項１乃至３のいずれか１項に記載のプロジェクションシステム。
【請求項５】
請求項４に記載のプロジェクションシステムを有し、
前記略球面状のスクリーンを貫くように橋状の観察台が設けられていることを特徴とするシアタ。
【請求項６】
請求項４に記載のプロジェクションシステムを有し、
前記プロジェクション装置及び前記面発光手段が観察者が出入りする出入口近傍に配置されていることを特徴とするシアタ。
【請求項７】
請求項４に記載のプロジェクションシステムを有し、
前記面発光手段の発光色を前記プロジェクション装置の投影映像に応じて変えることを特徴とするシアタ。
【請求項８】
請求項１乃至４のいずれか１項に記載のプロジェクションシステムを有し、
前記面発光手段が非常口を示す非常灯の少なくとも一部を兼ねていることを特徴とするシアタ。
【発明の詳細な説明】
【技術分野】
【０００１】
本発明は、プロジェクション装置とスクリーンとを有するプロジェクションシステム及びそのシステムを用いたシアタに係り、特に略球面状或いはアーチ状のスクリーンを有するプロジェクションシステム及びシアタに関するものである。
【背景技術】
【０００２】
従来より、観察者に没入感を与えるよう略完全球形スクリーンを利用した映像投影システムが提案されている。
【０００３】
例えば、シアタが略完全球形スクリーンを有し鑑賞者支持部を球形内の中央部に設け、その鑑賞者支持部の支柱に設置された複数のプロジェクタを用いた略完全球形スクリーンに画像を投影するものが知られている（例えば特許文献１参照）。
【０００４】
特許文献１には、鑑賞者支持部は略透明の強化ガラスを素材として形成され、鑑賞者は球形スクリーンに投影された映像を上下左右、３６０°鑑賞することができる、ことが記載されている。
【特許文献１】特開２００３−７５９１９号公報
【発明の開示】
【発明が解決しようとする課題】
【０００５】
しかしながら、特許文献１では、プロジェクタが球の中心部または観客席に対向して設置されるので、観察者はプロジェクタの存在を視認することができる。従って、観察者が映像を投影しているプロジェクタを直接視認できることによって、没入感が妨げられるという問題がある。
【０００６】
本発明は、上記の問題に鑑み、プロジェクション装置を用いてスクリーンに映像を投影したとき、プロジェクション装置が直接視認されるのを防ぎ、観察者に高い没入感を与えることができるようにしたプロジェクションシステム及びそのシステムを用いたシアタを提供することを目的とするものである。
【課題を解決するための手段】
【０００７】
本発明によるプロジェクションシステムは、スクリーンと、映像を前記スクリーンに投影するプロジェクション装置と、前記プロジェクション装置の前方に配置され、前記プロジェクション装置の光放射部からの投影光を透過し、かつ拡散光を放射する面発光手段とを備えたものである。
【０００８】
上記の説明で、プロジェクション装置とは、３管式のプロジェクタ，液晶式のプロジェクタ，…等の全ての投影装置を意味する。また、光放射部とは、投影光を放射する部分を意味する。具体的には、プロジェクション装置の最先端のレンズ枠、レンズ部分、カバーガラス部分等の前方から見える部分を指す。面発光手段としては、フロントライト導光板と光源の組合せのほかに、自己発光可能な透明な有機ＥＬなどを使用することも可能である。
【０００９】
このようなシステムによれば、プロジェクション装置の前方に配置され、プロジェクション装置の光放射部からの投影光を透過し、かつ拡散光を放射する面発光手段を設けたので、観察者は、面発光手段からの相対的に強い放射光による投影画像をスクリーン上に観察することができると共に、面発光手段が眼に入ったとき、或いは面発光手段を観察したときには面発光手段による拡散光若しくは面発光手段に印刷された文字などを視認することができる。従って、観察者がプロジェクション装置の光放射部のレンズ枠やレンズそのものを直接視認する虞をなくすことができる。
【００１０】
また、本発明によるプロジェクションシステムは、スクリーンと、映像を前記スクリーンに投影するプロジェクション装置と、前記プロジェクション装置の前方で、前記プロジェクション装置の少なくとも光放射部を観察者の視界から遮る位置に配置され、前記プロジェクション装置の前記光放射部からの投影光を透過し、かつ拡散光を放射する面発光手段とを備えたものである。
【００１１】
このシステムによれば、プロジェクション装置の前方で、プロジェクション装置の少なくとも光放射部を観察者の視界から遮る位置に配置され、プロジェクション装置の前記光放射部からの投影光を透過する一方、拡散光を放射する面発光手段を設けたので、プロジェクション装置の光放射部が、面発光手段によって観察者の視界から遮られ、観察者は、面発光手段側を見たとき拡散光を観察することになり、観察者がプロジェクション装置の光放射部のレンズ枠やレンズそのものを直接視認することがない。従って、観察者に対しては、プロジェクション装置が映像を投影しているという感覚を起こさせないようにできるため、観察者に高い没入感を与えることができる。
【００１２】
このように、プロジェクション装置の少なくとも光放射部を観察者から視認できないように遮蔽しているが、光放射部のみを遮蔽する場合は、プロジェクション装置本体は反射鏡（ミラー）等で光路を偏向した後面発光手段を通過させるようにし、プロジェクション装置を面発光手段の外側に配置して観察者から見えない位置に置くことができる。すなわち、面発光手段をプロジェクション装置の少なくとも光放射部の前方で、観察者の視界から遮る位置に配置して、観察者に視認されないようにすればよい。或いは、プロジェクション装置全体を面発光手段にて観察者の視界から遮蔽してもよい。
【００１３】
本発明のプロジェクションシステムにおいて、前記面発光手段は、フロントライト導光板とその側面に配置された光源から構成されている。
【００１４】
フロントライト導光板は、高い光透過率を保ちながら、側面から入射した光を導光し、表面（フロント側）から出射させることができるので、プロジェクション装置の投影光を高い透過率で透過させるとともに、導光板表面は側面から入射した光に基づく拡散光で面発光させることが可能となる。従って、プロジェクション装置からの投影光を高い効率でスクリーンに導くとともに、観察者からの、プロジェクション装置の視認特にその光放射部の視認を妨げることができる。
【００１５】
本発明のプロジェクションシステムにおいて、前記スクリーンは略球面状のスクリーンであることを特徴とする。
【００１６】
この構成によれば、スクリーンを略球面形としたことにより、観察者が内部より上下左右の３６０°で観察できるようになり、没入感を強く得られることになる。
【００１７】
本発明のシアタは、前記略球面状のスクリーンを備えたプロジェクションシステムを有し、略球面状のスクリーンを貫くように橋状の観察台が設けられている。
【００１８】
これにより、橋状の観察台は観察者の移動通路を兼ねているため、観察者は略球面状のスクリーンで囲まれた空間を徐々に移動しながら投影画像を観察できるとともに、プロジェクション装置そのものは見えないためプロジェクション装置が映像を投影しているという感覚を観察者に起こさせることなく、観察者に高い没入感を与えることもできる。
【００１９】
本発明のシアタは、前記略球面状のスクリーンを備えたプロジェクションシステムを有し、前記プロジェクション装置及び前記面発光手段が観察者が出入りする出入口近傍に配置されている。
【００２０】
このように、プロジェクション装置及び面発光手段が観察者の出入口近傍に配置されていることにより、面発光手段の拡散光が観察者に対して出入口を示す標識の役割を果たすとともに、観察者の出入口近傍のプロジェクション装置により観察者出入口と対向した方向のスクリーン上への投影が容易に行える。
【００２１】
本発明のシアタは、前記略球面状のスクリーンを備えたプロジェクションシステムを有し、前記面発光手段の発光色を前記プロジェクション装置の投影映像に応じて変えるものである。
【００２２】
これにより、面発光手段の発光色を略球面状スクリーン上の投影像の色に同化させるように変えていく（切り替えていく）ことにより、面発光手段そのものの存在を観察者に目立たなくすることができ、より高い没入感を観察者に与えることができる。
【００２３】
本発明のシアタは、前記プロジェクションシステムを有し、前記面発光手段が非常口を示す非常灯の少なくとも一部を兼ねている。
【００２４】
このような構成では、面発光手段が非常灯を兼用することで、非常灯という必然的に存在するものによって、その後ろにあるプロジェクション装置の存在が観察者から視認されるのを妨げることができるので、観察者にとつてより没入感の高い空間に浸ることができる。
【発明の効果】
【００２５】
本発明によれば、プロジェクション装置の前方に拡散光を放射することが可能な面発光手段を設けたので、プロジェクション装置を用いてスクリーンに映像を投影したとき、プロジェクション装置が直接視認されることがなく、観察者に高い没入感を与えることが可能となる。
【発明を実施するための最良の形態】
【００２６】
発明の実施の形態について図面を参照して説明する。  
【実施例１】
【００２７】
図１は本発明の実施例１のプロジェクションシステムを略正面から見た構成を示す斜視図、図２は図１のプロジェクションシステムを若干側面に寄った方向から見た斜視図、図３は図１のプロジェクションシステムを側面側から見た側面図である。
【００２８】
図１において、プロジェクションシステムは、スクリーン１と、映像をスクリーン１に投影するプロジェクション装置２ａ，２ｂと、プロジェクション装置２ａ，２ｂそれぞれの前方に配置され、プロジェクション装置２ａ，２ｂの光放射部２ａ-1，２ｂ-1からの投影光を透過可能で、しかもそれぞれ拡散光を放射することが可能な面発光手段３ａ，３ｂとを備えている。
【００２９】
スクリーン１には、例えばアーチ状のスクリーンが用いられる。平面状のスクリーンであってもよい。
【００３０】
プロジェクション装置２ａ，２ｂには、例えば３管式プロジェクタ、液晶プロジェクタ、ＤＬＰ（Digital Light Processingの略）プロジェクタ等を用いることができる。プロジェクション装置２ａ，２ｂの光放射部２ａ-1，２ｂ-1は、プロジェクション装置２ａ，２ｂの最先端のレンズ枠、レンズ部分、カバーガラス部分等の前方から見える部分を指している。
【００３１】
プロジェクション装置２ａ，２ｂの前には、フロントライト導光板と光源から構成された面発光手段３ａ，３ｂが配置されている。詳しくは、面発光手段３ａ，３ｂは、プロジェクション装置２ａ，２ｂの前方で、プロジェクション装置２ａ，２ｂの少なくとも光放射部２ａ-1，２ｂ-1を観察者４の視界から遮る位置に配置される。
【００３２】
プロジェクション装置２ａはアーチ状スクリーン１の右側部分に投影する位置に配置され、プロジェクション装置２ｂはアーチ状スクリーン１の左側部分に投影する位置に配置され、観察者４はスクリーン１上の両方が視認される位置で観察することになる。
【００３３】
このような構成においては、プロジェクション装置２ａ，２ｂの光放射部２ａ-1，２ｂ-1から放射された光は面発光手段３ａ，３ｂをそれぞれ透過して、アーチ状スクリーン１の両側部分に画像を投影する。投影される画像は静止画であっても動画であってもよい。左右両側の２つの画像は一部重ね合わされるが、本実施例１のプロジェクションシステムは２つの画像の色合い、輝度が一定になり、継ぎ目が分からなくなるように画像処理しつつ投影する周知の機能を有している。
【００３４】
この場合、プロジェクション装置２ａ，２ｂからの各投射光は面発光手段３ａ，３ｂのフロントライト導光板を透過してスクリーン１に画像を投影する一方、フロントライト導光板の側面の光源が特定の色（例えば緑色）に光ることによってフロントライト導光板の側面から導光板中に緑色光が入り、緑色に拡散発光する。これによって、観察者には、フロントライト導光板からの拡散光（例えば緑色）がより強く視認され、その結果フロントライト導光板の後ろに配置されているプロジェクション装置２ａ，２ｂは視認されにくくなる。
【００３５】
このようにプロジェクション装置２ａ，２ｂが面発光手段３ａ，３ｂの発光色に対して相対的に視認されにくくなる結果、本来観察者に視認される位置にありながら観察者には、何ら投影装置が見えないにもかかわらずスクリーン１に映像が投影されているように感じられ、映像への没入感を高めることができる。
【００３６】
なお、プロジェクション装置２ａ，光放射部２ａ-1及び面発光手段３ａからなるスクリーン左側の投影装置と、プロジェクション装置２ｂ，光放射部２ｂ-1及び面発光手段３ｂからなるスクリーン右側の投影装置とは、それぞれの各部の構成要素としては全く同様なものを使用している。以下の説明では、プロジェクション装置２，光放射部２-1及び面発光手段３からなる装置として説明する。
【００３７】
次に、面発光手段の構成例について図４乃至図６を参照して説明する。  
図４は面発光手段の一方の側面から見た側面図、図５は面発光手段とプロジェクション装置を組み合わせた装置の側面図、図６は図５の作用を説明する説明図である。
【００３８】
面発光手段３は、図４に示すように無色透明の板状のフロントライト導光板６と、その側面６ａに配置された光源５とを備えて構成されている。
【００３９】
光源５には、ＬＥＤ（発光ダイオード）、ＣＣＦＬ（冷陰極蛍光ランプ）を用いることができる。光源５から出射された光は、フロントライト導光板６の側面６ａから導光板６内部に入射する。フロントライト導光板６に入射した光は導光板６の中を全反射しながら進んでいく。その全反射光の一部がフロントライト導光板６の裏面（後側）６ｂに形成されている拡散構造によってフロントライト導光板６の表面（前側）６ｃへ出射される。
【００４０】
光源５からフロントライト導光板６の側面６ａへ色光（例えば緑色光）が入射された場合は、フロントライト導光板６の中を緑色光が一方の側面６ａからこれと対面するもう一方の側面６ｄへ通過する一方フロントライト導光板６の表面（前側）から緑色の拡散光が出射されるので、フロントライト導光板６の表面（前側）６ｃから観察すると無色透明であるフロントライト導光板６が恰も緑色板のように視認される。
【００４１】
投影装置では、面発光手段３のフロントライト導光板６の裏面（後側）６ｂに、図５に示すようにプロジェクション装置２が配置され、プロジェクション装置２の光放射部２-1から出射されるスクリーン投射用の強い光度の投影光１６がフロントライト導光板６を裏面（後側）６ｂから表面（前側）６ｃに透過して、面発光手段３の前方（スクリーン側）へ出射される。その際、前述したように光源５からフロントライト導光板６の側面６ａへ色光（例えば緑色光）を入射し、フロントライト導光板６の中を全反射させフロントライト導光板６の表面側へ緑色光を拡散し放射させても、この拡散光９は前記投影光１６と比較すると光量的に少ないため、前記投影光１６の映像には何ら影響を与えない。
【００４２】
図６は上記フロントライト導光板６の裏面６ｂの部分拡大図を示すもので、フロントライト導光板６の裏面６ｂには周期的に設けられた斜面７が散在する。斜面７と次の斜面７の間にはほとんど角度も持たない平面８が存在している。なお、図６では、平面８は描画の都合上、その幅（ピッチ）を狭く描いているため斜面のように描かれているが、実際には、斜面７の幅（ピッチ）ｅはμｍオーダーの長さなのに対して、平面８の幅（ピッチ）ｆはｍｍオーダーの長さであり、平面８のピッチｆは斜面７のピッチｅの数百倍〜数千倍の長さを有している。
【００４３】
このようなフロントライト導光板６に入射した光源５の光は前記平面８と表面６ｃで全反射しながら板面方向に導光していくが、周期的に設けられた斜面７に当たった場合にはその面で反射して偏向され表面６ｃを透過してフロントライト導光板６の外部（スクリーン側）へと出射する。斜面７に当たって表面６ｃを透過する光線を符号９で示している。なお、図６では斜面７で反射した光９は表面６ｃに対して略垂直に透過するように描かれているが、光源５からは種々の方向を持った光が斜面７で反射するので、実際には表面６ｃを透過して出射される光９は種々の方向を持った拡散光となっている。
【００４４】
このように、フロントライト導光板６に一側面６ａから入射した光は、平面８と表面６ｃで全反射されながら導光するとともに、周期的に設けられた斜面７で偏向され表面６ｃから出射することになる。このような作用によりフロントライト導光板６に入射した光源５の光によって、拡散光９が図６に示したように出射することになり、フロントライト導光板６は、あたかも、表面６ｃが発光している面発光素子の役割を果たすことになる。
【００４５】
上述したように斜面７は周期的に散在しており、プロジェクション装置２からの投影光１６のほとんどはピッチの大きな平面８を通過する。したがって、面発光手段３を構成するフロントライト導光板６をプロジェクション装置２の前に配置したとしても投影光１６の光量が損なわれることはほとんどない。
【００４６】
また、図１乃至図３において、観察者４がプロジェクション装置２ａ，２ｂの方向を観察した場合には、上述したことから分かるようにフロントライト導光板６の表面が拡散光９によって面発光して見えるので、導光板６の背後にあるプロジェクション装置２ａ，２ｂを視認することはできない。すなわち、単に光る板が配置されているように視認される。
【００４７】
このような本実施例１によれば、観察者からはプロジェクション装置を視認することはできず、なんら投影装置が無い状態にもかかわらずスクリーンに画像が投影されているように感じられ、映像への没入感を高めることができる。
【００４８】
次に、面発光手段を用いた投影装置の応用例を説明する。  
図７及び図８は、面発光手段を用いた投影装置の斜視図を示している。フロントライト導光板６及び光源５からなる面発光手段３の裏面側には、プロジェクション装置２が配置されている。面発光手段３を構成するフロントライト導光板６の表面には、プロジェクション装置２の光放射部２-1に略対応した部分が文字等の印刷のない投影光線１６の通過領域とされ、、該光線通過領域外の両側の部分には例えば出口であることを示す文字「Exit」が印刷された領域が形成されている。光源５はＬＥＤが複数個並んだ光源ユニットで構成されており、例えば緑色光を発光し、面発光手段３のフロントライト導光板６の側面に入射するようになっている。光源５が緑色光を発光すると、フロントライト導光板６はその表面から拡散し出射する光９（図６参照）により緑色に光って見え、観察者はその裏面側にプロジェクション装置２が存在しているのを視認することがない。
【００４９】
このような投影装置は、図１乃至図３に示したプロジェクションシステムを有したシアタを構成する際に、シアタの出口を示す表示板を兼ねた面発光手段３を配設し、この面発光手段３の背後に観客に気づかれないような状態でプロジェクション装置２を配置することを可能とするものである。
【実施例２】
【００５０】
図９は本発明の実施例２の、プロジェクションシステムを用いたシアタの内部構造を示す縦断面図、図１０は図９における橋状の観察台を示す斜視図である。
【００５１】
本実施例２は、略球面状のスクリーン全体を複数のプロジェクション装置２で投影するもので、観察者４の出入ロ１５付近を除きほぼ球面全体に映像が投影される略球形状のシアタ１０を示している。
【００５２】
本実施例２は、実施例１と基本的なプロジェクションシステムの構成については同様である。すなわち、プロジェクションシステムとしては、プロジェクション装置２と、プロジェクション装置２の光放射部２-1の前方に配置された面発光手段３と、スクリーン１４とを備えている。本実施例２のスクリーン１４は、内部に観察者４が入って観察する大きな略球面状のスクリーンで構成されている。
【００５３】
球面状スクリーン１４の中心には球形の中心を貫くように橋状の観察台１３が設けられている。橋状の観察台１３には、観察者４の転落を防止するため、両側に手すり１２が配設され、観察者４が移動できる観察路を形成している。
【００５４】
プロジェクション装置２はその観察台１３の下方に配置され、プロジェクション装置２の前方には折り返しミラー１１が配設され、実施例１と同様にフロントライト導光板６と光源５から構成されている面発光手段３が折り返しミラー１１の上部に配設されている。プロジェクション装置２や折り返しミラー１１は観察台１３に直接取り付けることによって固定される。
【００５５】
プロジェクション装置２からの投影光１６は折り返しミラー１１で反射され、面発光手段３を経て球面状スクリーン１４へと投影される。このとき、複数の画像は一部ずつ重ね合わされるが、本プロジェクションシステムは複数の画像の色合い、輝度が全体として一定になり、継ぎ目が分からなくなるように画像処理しつつ投影する機能を有している。
【００５６】
図中には２台のブロジェクション装置のみ示し、図示を省略したが、実際には球面全体を投影するために多数のプロジェクション装置２が観察台１３の下に配置されている。プロジェクション装置２及び折り返しミラー１１の向きをそれぞれ適切に設定することにより球面状スクリーン１４全体に画像を投影することができるようにしている。
【００５７】
なお、観察台１３とは別に支柱を観察台１３の下側に沿いながら球面状のスクリーン１４を貫くように配置して、プロジェクション装置２や折り返しミラー１１を取り付けても良い。このとき、観察台１３と支柱は直接に一体化されることなく、互いに振動を伝えることがない構造体などを介して、連結する構成となっていれば良い。例えば地面を介して連結することが望ましい。このようにすれば、観察台１３の振動をプロジェクション装置２に伝えることがないので、プロジェクション装置２が振動して画像が揺れてしまうといった不具合が生じない。
【００５８】
また、面発光手段３の発光色をプロジェクション装置２の投影映像に応じて可変できねように構成しても良い。すなわち、面発光手段３の光源５をＲ（赤），Ｇ（緑），Ｂ（青）三色のＬＥＤの組を複数組配列した構成とし、さらに、Ｒ，Ｇ，Ｂ各色の光強度をＬＥＤ駆動制御手段（図示せず）で制御することによって光源５から種々の色光を発光可能にし、光源５の発光色をプロジェクション装置２の投影映像の内容（色や風景など）に応じて変更可能にする。例えば、面発光手段３の発光色を略球面状スクリーン１４上の投影像の色に同化させるように変えていく（切り替えていく）。これにより、光源５から背景部分（球面状スクリーン１４に投影され面発光手段３の背景部分となっている投影光の色）と同系色の光が発せられ、フロントライト導光板６から同系色の拡散光９が発せられる。そのため、面発光手段３の光が相対的に強く観察者４には背景部分の色に同化して感じられ、観察者４からプロジェクション装置２が視認されない効果を持つことになる。その結果、面発光手段３そのものの存在を観察者４に目立たなくすることができ、より高い没入感を観察者４に与えることが可能となる。
【００５９】
このような構成においては、プロジェクション装置２からの投影光１６は折り返しミラー１１で反射されて球面状スクリーン１４へと投影される。プロジェクション装置２及び折り返しミラー１１の向きをそれぞれ適切に設定することにより球面状スクリーン１４全体に画像を投影することができる。
【００６０】
しかも、図９及び図１０から明らかなように、観察者４からはプロジェクション装置２及び折り返しミラー１１を視認することはできず、なんら投影装置が無いにもかかわらずスクリーン１４に画像が投影されているように感じることができる。さらに、ほぼ球面状スクリーン１４を全面投影することで、恰も投影された画像の中にいるような非常に高い没入感を得ることができる。
【００６１】
なお、本実施例２において、投影光１６はプロジェクション装置２を出射した後折り返しミラー１１によって偏向されスクリーン１４に投影されるよう構成されているが、投影範囲によっては折り返しミラーなしに直接スクリーン１４に投影することも可能である。例えば、球面状スクリーン１４の下方を投影する場合にはプロジェクション装置２を下方向に向け投影することも可能である。
【００６２】
次に、図９及び図１０で示した実施例２の変形例を、図１１乃至図１３を参照して説明する。  
図１１は本発明の変形例の、プロジェクションシステムを用いたシアタの内部構造を示す縦断面図、図１２は図１１のシアタにおける橋状の観察台の通路方向に沿った縦断面図、図１３は図１１における非常灯の他の構成例を示す正面図である。
【００６３】
本変形例は、実施例２と基本的な構成については同様である。すなわち、プロジェクション装置２、略球面形状のスクリーン１４は実施例２と同様の構成であり、異なる部分のみ説明する。
【００６４】
図１１に示すように、出入ロ１５（略円形状の一点鎖線にて示す）の近傍に、少なくとも一部分を面発光手段で構成された非常灯１７を設置している。非常灯１７を構成する面発光手段のフロントライト導光板にはその表面に「非常口」の表示マークが印刷されている。図１２に示すように、非常灯１７の非常口表示マーク部分に相当する裏面側に、プロジェクション装置２の光放射部２-1が配置されている。なお、非常灯１７を構成する面発光手段の光源には緑色の光源を用いている。面発光手段の構成は、図７及び図８で説明したものとほぼ同様（印刷表示マークの位置以外は）である。
【００６５】
なお、図１３は非常灯の他の例を示すもので、非常灯１７Ａは中央部分をフロントライト導光板による面発光手段３で構成しその側面に光源にて例えば緑色光を入射し、面発光手段３の左右の両端部分には「非常口」の文字を記載した光透過性の白色拡散プレート３-1，３-2を配しその背後から白色蛍光灯による光を当てる構成としてもよい。非常灯１７Ａの中央部分の面発光手段３の背後にはプロジェクション装置２が配置されることは、前述の図１１及び図１２における非常灯１７の場合と同様である。
【００６６】
このような変形例の構成においては、プロジェクション装置２の投影光１６は非常灯１７を透過して出入口１５の対面方向のスクリーン１４面（この部分は比較的、投影上の死角面である）に映像を投影する。非常灯１７を構成する面発光手段からは、非常口を示す表示マークを含む緑色の光が観察者に届く。そのため、観察者４には、プロジェクション装置２の光放射部２-1からの光が相対的に感じられなくなる。
【００６７】
このような変形例では、面発光手段の効果により、観察者４は面発光手段で構成された非常灯１７を単なる非常灯と認知し、その背後のプロジェクション装置２を視認することはない。
【００６８】
このように本変形例によれば、非常灯１７の部分にプロジェクション装置を配置できるので、その分より多くのプロジェクション装置の設置が可能となる。特に、球面状スクリーン１４に２つの出入口１５がほぼ対面して配置されている場合、例えば実施例２の場合にはプロジェクション装置２が観察者４に視認されないように、観察台１３の下に配置せざるを得ないので、出入口１５付近への投影が難しいが、本変形例では相対する出入口１５付近の投影が容易に行えるという効果を有している。
【００６９】
なお、この変形例では、出入口１５近傍に非常灯として「非常口」表示マークを付した面発光手段を配設したが、これに限らず出入口近傍に設置された単なる発光面として面発光手段を配置し、出入口１５付近の投影が容易に行える利点を得る構成としても良い。
【００７０】
以上述べたように本発明によれば、観察者に高い没入感を与える大型のプロジェクションシステム及びそのシステムを用いたシアタを提供することができる。
【００７１】
尚、以上述べた本発明の実施例では、投影スクリーンとして、アーチ型又は球面状のスクリーンを用いる場合について説明したが、本発明はアーチ型又は球面状のスクリーンに限定されず、通常の平面型のスクリーンに対して投影するプロジェクションシステム及びそのシアタに対しても広く応用することが可能である。
【産業上の利用可能性】
【００７２】
本発明に係るプロジェクションシステムは、撮影画像やコンピュータグラフィック画像を投影するスクリーン投影装置であって、宇宙空間、住居空間、都市景観等の投影や、フライトシュミレータ、ゲーム装置、プラネタリウム等の投影に利用可能である。
【図面の簡単な説明】
【００７３】
【図１】本発明の実施例１のプロジェクションシステムを略正面から見た構成を示す斜視図。
【図２】図１のプロジェクションシステムを若干側面に寄った方向から見た斜視図。
【図３】図１のプロジェクションシステムを側面側から見た側面図。
【図４】面発光手段を一方の側面から見た側面図。
【図５】面発光手段とプロジェクション装置を組み合わせた装置の側面図。
【図６】図５の作用を説明する説明図。
【図７】実施例１の応用例に係り、面発光手段を用いた投影装置の斜視図。
【図８】図７を異なった方向から見た、面発光手段を用いた投影装置の斜視図。
【図９】本発明の実施例２のプロジェクションシステムを用いたシアタの内部構造を示す縦断面図。
【図１０】図９における橋状の観察台を示す斜視図。
【図１１】本発明の変形例の、プロジェクションシステムを用いたシアタの内部構造を示す縦断面図。
【図１２】図１１のシアタにおける橋状の観察台の通路方向に沿った縦断面図。
【図１３】図１１における非常灯の他の構成例を示す正面図。
【符号の説明】
【００７４】
１…スクリーン
２，２ａ，２ｂ…プロジェクション装置
２-1，２ａ-1，２ｂ-1…光放射部
３，３ａ，３ｂ…面発光手段
４…観察者
５…光源
６…フロントライト導光板
代理人    弁理士      伊    藤      進 
【図１】
2005195672.tif 000003
【図２】
2005195672.tif 000004
【図３】
2005195672.tif 000005
【図４】
2005195672.tif 000006
【図５】
2005195672.tif 000007
【図６】
2005195672.tif 000008
【図７】
2005195672.tif 000009
【図８】
2005195672.tif 000010
【図９】
2005195672.tif 000011
【図１０】
2005195672.tif 000012
【図１１】
2005195672.tif 000013
【図１２】
2005195672.tif 000014
【図１３】
2005195672.tif 000015